(57)【要約】【課題】放射性物質を除染する必要のある除染廃棄物を収納して屋外で長期保存可能な耐候性に優れた軟質な除染廃棄物用容器を提供する。【解決手段】放射性物質を除染する除染廃棄物を充填する内層容器、内層容器を収納する中間層容器Ｃ、遮断層筒を介して中間層容器を収納する外層容器Ａが内側から外側へ順次積層されて４層に形成され、外層容器Ａが塩化ビニル樹脂シート／アクリルシート／塩化ビニル樹脂シートからなる３層積層シートであり、遮断層筒がポリエステルシートであり、中間層容器Ｃはポリエステルシート／ポリプロピレンシートの２層積層シートからなり、内層容器がナイロンシート／アルミニウムシート／ポリエチレンシートからなる３層積層シートからなり、外層容器Ａの積層シートの表面に水酸化アルミニウムを含む銀色塗料が塗付されている除染廃棄物用容器。【選択図】図９
0003173174.tif 000002
【実用新案登録請求の範囲】
【請求項１】
放射性物質を除染する除染廃棄物を充填する内層容器、前記内層容器を収納する中間層容器、遮断層筒を介して前記中間層容器を収納する外層容器が内側から外側へ順次積層されて４層に形成され、
前記外層容器が塩化ビニル樹脂シート／アクリルシート／塩化ビニル樹脂シートからなる３層積層シートであり、
前記遮断層筒がポリエステルシートであり、
前記中間層容器はポリエステルシート／ポリプロピレンシートの２層積層シートであり、
前記内層容器がナイロンシート／アルミニウムシート／ポリエチレンシートからなる３層積層シートであり、
前記外層容器の積層シートの表面に水酸化アルミニウムを含む銀色塗料が塗布されていることを特徴とする除染廃棄物用容器。
【請求項２】
前記遮断層筒、前記中間層容器及び前記内層容器の各積層シートが紫外線吸収剤を含むことを特徴とする請求項１に記載の除染廃棄物用容器。
【請求項３】
前記外層容器に前記中間層容器の吊ベルトを通す吊穴が形成されていることを特徴とする請求項１又は２に記載の除染廃棄物用容器。
【請求項４】
前記内層容器の直径が前記中間層容器の直径の１．８倍であることを特徴とする請求項１、２又は３に記載の除染廃棄物用容器。
【考案の詳細な説明】
【技術分野】
【０００１】
本考案は、放射性物質を除染する除染廃棄物を収納して屋外の仮置場で長期間仮置きすることができる耐候性に優れた除染廃棄物用容器に関する。
【背景技術】
【０００２】
東日本大震災により発生した原子力発電所の事故により生じた放射性物質による汚染に関して原子力災害対策本部より「市町村による除染実施ガイドライン」が示された。ガイドラインによれば、除染する前の放射性物質で汚染された汚泥、落葉、土砂などの廃棄物は、土嚢袋と言われている、ポリエチレンやポリプロピレン等の化学繊維で織られたシートで製作されたフレキシブルコンテナバッグ（「フレコンバッグ」とも呼ばれる。）に収納され、空き地等の仮置場に仮置きされ、いずれ最終処分場に移されて処理される。
【先行技術文献】
【特許文献】
【０００３】
【非特許文献１】市町村による除染実施ガイドライン
【考案の概要】
【考案が解決しようとする課題】
【０００４】
しかしながら、フレコンバッグは、基本的には１年間で１回使用という品質保証期間であることから、最終処分場の整備期間、汚染排気淵の量の増大等によって仮置きの時間は３年から５年以上と考えられので、屋外に長期間放置すると紫外線によってフレコンバッグが劣化し、汚染物質の漏れが発生し易くまた、二次汚染の恐れがあるだけでなく、仮置場から最終処分場までの運搬移動も困難になる、という問題点がある。
【０００５】
そこで、本考案は、放射性物質を除染する必要のある除染廃棄物を収納して屋外で長期保存が可能な耐候性に優れた除染廃棄物用容器を提供するものである。
【課題を解決するための手段】
【０００６】
本願請求項１の考案は、放射性物質を除染する除染廃棄物を充填する内層容器、前記内層容器を収納する中間層容器、遮断層筒を介して前記中間層容器を収納する外層容器が内側から外側へ順次積層されて４層に形成され、前記外層容器が塩化ビニル樹脂シート／アクリルシート／塩化ビニル樹脂シートからなる３層積層シートであり、前記遮断層筒がポリエステルシートであり、前記中間層容器はポリエステルシート／ポリプロピレンシートの２層積層シートからなり、前記内層容器がナイロンシート／アルミニウムシート／ポリエチレンシートからなる３層積層シートからなり、前記外層容器の積層シートの表面に水酸化アルミニウムを含む銀色塗料が塗布されていることを特徴とする除染廃棄物用容器である。
【０００７】
本願請求項２の考案は、前記遮断層筒、前記中間層容器及び前記内層容器の各積層シーが紫外線吸収剤を含むことを特徴とする請求項１に記載の除染廃棄物用容器である。
【０００８】
本願請求項３の考案は、前記外層容器に前記中間層容器の吊ベルトを通す吊穴が形成されていることを特徴とする請求項１又は２に記載の除染廃棄物用容器である。
【０００９】
本願請求項４の考案は、前記内層容器の直径が前記中間層容器の直径の１．８倍であることを特徴とする請求項１、２又は３に記載の除染廃棄物用容器である。
【考案の効果】
【００１０】
本考案の除染廃棄物用容器は、内層容器、中間層容器、遮断層筒、外層容器が４層に積層され、外層容器が３層積層シート、中間層容器が２層積層シート、内層容器が３層積層シートからなり、外層容器の積層シートの表面に銀色塗料が塗布されているので耐久性及び耐候性に優れ、除染廃棄物を屋外で長期間保存することが可能となる。
【００１１】
本考案の除染廃棄物用容器は、遮断層筒、中間層容器及び内層容器の各積層シートが紫外線吸収剤を含むことで紫外線による除染廃棄物用容器の劣化を防止することができる。
【００１２】
本考案の除染廃棄物用容器は、外層容器に吊穴を設け、中間層容器にベルトを設けて除染廃棄物用容器を吊り上げる際に吊穴に中間層容器のベルトを通す構造であるために、収納した除染廃棄物の荷重が外層容器と中間層容器に分散され吊り上げる時の安全性が強化される。
【００１３】
本考案の除染廃棄物用容器は、内層容器の直径を中間層容器の直径の１．８倍にすることにより凍結膨張による内層容器の破損を防止して内層容器から液体を含む除染廃棄物の漏れを防ぐことができる。
【図面の簡単な説明】
【００１４】
【図１】外層容器の斜視図である。
【図２】遮断層筒の斜視図である。
【図３】中間層容器の斜視図である。
【図４】内層容器の斜視図である。
【図５】内層容器と中間層容器との固定方法を示す斜視図である。
【図６】中間層容器と外層容器との固定方法を示す斜視図である。
【図７】廃棄物を入れた内層容器を含め中間層容器の投入口を締める方法を示す斜視図である。
【図８】外層容器のカバーを被せた状態を示す斜視図である。
【図９】中間層容器の吊ベルトを外層容器の吊穴から引き出した状態を示す斜視図である。
【図１０】家庭用小型化除染用容器を示す斜視図である。
【図１１】小型化容器中間層容器との組合せ方法を示す斜視図である。
【図１２】小型化容器中間層容器と外層容器との固定方法を示す斜視図である。
【考案を実施するための形態】
【００１５】
本考案の除染廃棄物用容器は、図１〜図４に示される、放射性物質を除染する除染廃棄物を充填する内層容器Ｄ、内層容器Ｄを収納する中間層容器Ｃ、遮断層筒Ｂを介して中間層容器Ｃを収納する外層容器Ａが内側から外側へ順次積層されて４層に形成される。
【００１６】
外層容器Ａは、図１に示すように、上方が開口した筒状本体１の周側面が積層シート２から構成される。この積層シート２は、塩化ビニル樹脂（ＰＶＣ）シート２ａ／網目３を有したアクリルシート２ｂ／塩化ビニル樹脂（ＰＶＣ）シート２ｃの３層積層シートで構成される。外層容器Ａの３層積層シートは、耐熱温度７０℃以上、耐低温温度−４０℃、耐荷重５３０ｋｇｆ／ｃｍ２の強度を有する。
【００１７】
外層容器Ａは、３層積層シートの表面に水酸化アルミニュウムを主とする銀色塗料が塗り付けられることによって３００〜３５０ｎｍ波長の紫外線を約５０％以上反射させることができまた、塩化ビニル樹脂は耐候性の優れている樹脂なので反射以外の紫外線は容器内に透過する。
【００１８】
外層容器Ａの上端側部分には、４つの吊穴４が設けられ、この吊穴４に中間層容器Ｃの吊ベルト１４が通されて吊上げ運搬し易いように構成されている。さらに荷重に耐えるため縦方向と円周方向に補強ベルト５、６が取付けられて補強され、２トン以上の荷重でも吊り上げ可能な構造になっている。４つの吊穴４は中間層容器Ｃの吊ベルト１４を利用することによって、収納される除染廃棄物の荷重が外層容器Ａと中間層容器Ｃに分散され、さらに吊り上げる時の安全性が強化される構造となる。除染廃棄物用容器は、仮置場から最終処理場へ運搬する時に外層容器Ａから中間層容器Ｃと内層容器Ｄのみを吊り上げて外層容器Ａと分離させる。コストの比較的高い外層容器Ａは新品の中間層容器Ｃと内層容器Ｄだけを入れて固定用紐２２で固定することで、外層容器Ａを何回も繰り返し使用することができる。
【００１９】
筒状本体１の上部には、紫外線、雨や雪の侵入防ぐため、外層容器Ａの上部に筒状本体１と同様な材質のカバー７を有し、カバー７と筒状本体１とを平帯状の面ファスナ８，９で固定することにより紫外線反射以外に雨、雪を遮断することができる。
【００２０】
外層容器Ａの内周に内装する遮断層筒Ｂは、図２に示すように、外層容器Ａと同様に筒状であり、紫外線を吸収するポリエステル繊維の不織布１０の単一層で構成され、本体１０の上部にカバー１１を有する。カバーと遮断層筒Ｂとは面ファスナ１０ａ，１１ａで固定される。
【００２１】
遮断層筒Ｂは、紫外線吸収が優れているベンゾトリアゾール系紫外線吸収剤をポリエステル不織布製造時に添加することで外層容器Ａから透過した紫外線が紫外線吸収剤によって吸収されまた、残りの紫外線の持つエネルギーが黒色不織布により吸収されて不織布を構成する分子が励起状態となり、その繰り返しによってエネルギーを消耗し、熱に変わって発散させることができる。
【００２２】
中間層容器Ｃは、図３に示すように、外層容器Ａと同様に上方が開口した筒状本体１２の周側面が積層シート１３から構造される。この積層シート１３はポリエステル（ＰＥ）フィルム１３ａ／網目を有したポリプロピレン（ＰＰ）１３ｂの２層で構成される。
【００２３】
中間層容器ｃには積層のポリエステルシートにベンゾトリアゾール紫外線吸収剤を添加しまた、積層ポリプロピレンシートにもベンゾトリアゾール紫外線吸収剤を添加し、さらに積層ポリエステルと積層ポリプロピレンに水酸化アルミニウム系顔料を混煉して紫外線の反射と吸収ができるようにする。
【００２４】
また、中間層容器ｃには、吊上げ運搬し易くするため、外層容器Ａの吊穴４に通す４本の吊ベルト１４が間隔をおいて設けられる。さらに容器内へ廃棄物を入れ易くしまた、投入後は外部に漏れないように投入口１５を締める締めテープ１６が設けられる。投入口１５はポリエチレン（ＰＥ）フィルム１５ａと網目を有したポリプロピレン（ＰＰ）１５ｂの２層で構成される。
【００２５】
内層容器Ｄは、図４に示すように、遮断層筒Ｂと同様に筒状で、本体１７が積層シート１８から構成され、この積層シート１８はナイロンフィルム１８ａ／アルミフィルム１８ｂ／ポリエチレン（ＰＥ）１８ｃで構成される。
【００２６】
内層容器Ｃは、積層シートポリエステルにベンゾトリアゾール紫外線吸収剤を添加しまた、中間積層シートのアルミフィルムが紫外線を反射するので、反射と吸収の両方ができるようにする。
【００２７】
内層容器Ｄは、最高８３％の液体を含む除染廃棄物を入れるため、密閉性が高く要求され、底部は高周波熱圧着加工によって１９に示すように２重に封止される。また冬の凍結によって汚泥中の氷が昇華され、発生した蒸気を外部に漏らさないように上部の開口部には２個のジップ式密封具２０を設けて除染廃棄物をいれた後に固定されて漏れが防止される。
【００２８】
内層容器Ｄは、水分を含有する汚泥の凍結によって膨張し、一般的には水分を含有する土の凍結による膨張率は約７％前後といわれ、当然温度のマイナスレベルや水分の含有率にもよるが、１５％までの膨張率でも充分耐えられるように内層容器Ｄの直径は中間容器Ｃの直径より１．１８倍にすることによって凍結膨張による内層容器Ｄの破損による漏れを防ぐことができる。
【００２９】
なお、遮断層筒Ｂは紫外線を遮断する役割を有するだけで吊り上げの役割がない層なので紫外線のエネルギーを吸収し、長期的に徐徐に劣化されてもよいという設計とするが、その代わりに遮断層筒Ｂを通過する紫外線量が減少することになり、中間層容器Ｃは２層シートで耐熱温度１００℃、耐低温温度−２０℃、耐荷重３００ｋｇｆ／ｃｍ２以上の強度を有し、さらに内層内器Ｄは耐熱温度１００℃以上、耐低温温度−２０℃、耐荷重４４０ｋｇｆ／ｃｍ２の強度を有する耐久性のある容器とする。
【００３０】
＜実施例１＞
図５に示される本考案の除染廃棄物用容器は、外層容器本体１が網目の大きさが約１ｍｍ、網目間のピッチが約１ｍｍ、シートの厚みが約０．８５ｍｍで構成され、表面は銀粉塗料で０．０１ｍｍ塗装される。
【００３１】
遮断層筒１０は黒色ポリエステル不織布のシートの厚みは約５ｍｍで構成され、面ファスナ１０ａで４箇所が外層容器Ａに固定される（図２参照）。
【００３２】
また中間層容器Ｃの投入口に内層容器Ｄを入れて、ステイプラ（ホッチキス（登録商標））の針２１で円周に沿って１０箇所程度固定する。さらに中間層容器Ｃを外層容器Ａにいれて、図６に示されるように、固定紐２２で中間層容器Ｃと外層容器Ａを固定する。
【００３３】
使用時に汚泥等を内層容器に入れて、図７に示すように、中間層容器Ｃの排入口を締めテープ１６で締めた後、クレーンやフォークリフトで吊り上げ仮置場に運搬し、最後に内層容器Ｃの遮断層カバー１１（図２参照）を中間層容器Ｃに被せる。さらに、図８に示すように、外層容器本体１にカバー７を被せ、面ファスナ８，９で最終固定する。
【００３４】
除染廃棄物用容器は一時保管場所でかなり長い時間放置され、最終処理場へ運搬する際は、図９に示すように、安全のために外層容器Ａの吊穴４を通して中間層容器Ｃの吊ベルト１４を出した吊り方法が実施される。この吊り方法で吊上げる時に、荷重は中間層容器Ｃと外層容器Ａで同時に荷重を分担し、安全性を高めることができる。外層容器Ａに充分な荷重を分散させるため、中間層容器Ｃの負荷に対する伸び率を１５〜２０％に保つため、ＰＰ原料に５〜７％のＰＥを混煉する。また、外層容器Ａは０．８５ｍｍの厚みでは通常１０％の伸び率で中間層容器Ｃから荷重の分散ができるようになる。
【００３５】
＜実施例２＞
本実施例の容器は、図１０に示すように、家庭用に小型化して２５ｋｇ以下の除染廃棄物を入れる容器としたもので、小型家庭用外層容器本体３０に除染廃棄物を充填した小型家庭用中間層容器３１を収納した後、小型家庭用外層容器カバー３２を被せる。
【００３６】
本容器は汚染されたものを入れて、家の庭に暫定的に仮置くか、場合によると地域の指定されている仮置場にそのまま置くことも考えられ、さらに指定されている仮置き場に実施例１のように１トン以上の大型容器を置いておき、小型容器から内層容器を含めた中間層容器を取り出し、大型容器に入れるだけで完了する。
【００３７】
図１１のように小型容器の外層容器に中間層容器３３と内層容器３５を入れ、図１２に示すように締めテープ３６で固定することにより、比較的コストの高い外層容器は何回も繰り返して使用できる。
【符号の説明】
【００３８】
１．外層容器本体
２．外層容器積層シート
２ａ塩ビ樹脂シート
２ｂアクリルシート
２ｃ塩ビ樹脂シート
３．網目
４．吊穴
５．横補強ベルト
６．縦補強ベルト
７．外層容器カバー
８．外層容器カバー固定用面ファスナ
９．外層容器本体固定用面ファスナ
１０．遮断層本体
１０ａ．遮断層本体固定用面ファスナ
１１．遮断層本体カバー
１１ａ遮断層本体カバー固定用面ファスナ
１２．中間層容器本体
１３．中間層容器積層シート
１３ａ．ポリエステルフィルム
１３ｂ．網目を有するポリプロピレン積層シート
１４．中間層容器吊ベルト
１５．中間層容器投入口
１５ａ．  ポリエステルフィルム
１５ｂ．網目を有するポリプロピレン積層シート
１６．中間層容器投入口締めテープ
１７．内層容器本体
１８．積層シート
１８ａ  ナイロンフィルム
１８ｂ  アルミフィルム
１８ｃ  ポリエチレンフィルム
１９．２重高周波熱圧着シール
２０．ジップ式密封具
２１．内層容器と中間層容器固定用ステイプラ針
２２．中間層容器と外層容器と固定用紐
３０．小型家庭用外層容器本体
３１．小型家庭用中間層容器充填後
３２．小型家庭用外層容器カバー
３３．小型家庭用外層容器本体
３４．小型家庭用外層容器投入口
３５．小型家庭用内層容器と中間層容器固定用ステイプラ針
３６．小型家庭用中間層容器と外層容器の固定紐
【図１】
0003173174.tif 000003
【図２】
0003173174.tif 000004
【図３】
0003173174.tif 000005
【図４】
0003173174.tif 000006
【図５】
0003173174.tif 000007
【図６】
0003173174.tif 000008
【図７】
0003173174.tif 000009
【図８】
0003173174.tif 000010
【図９】
0003173174.tif 000011
【図１０】
0003173174.tif 000012
【図１１】
0003173174.tif 000013
【図１２】
0003173174.tif 000014